(57)【要約】【課題】治具を用いないでも、ロック解除が簡単にできる電線カバーの装着構造を提供する。【解決手段】コネクタハウジング１０Ａの後部の筒壁部１３にマットシールカバー４０を嵌合し、そのマットシールカバーに電線カバー５０を装着する構造において、マットシールカバーは、筒壁部の外周に嵌まる筒状周壁４１と前半部分が筒壁部の内周に嵌まる押圧面板部４２と、筒状周壁の後端縁と押圧面板部の前後方向の中間部分の外周とを結合する連結壁部４４とを有する。筒状周壁の後端縁の一部に、係合凸部４５ｃを有する帯板状のロックアーム４５を突設し、筒状周壁にロックアームを持ち上がりやすくするスリットを形成し、筒壁部の外周面に凹部１３ｂを形成し、その凹部を利用してロックアームの前端側を押し込むことにより、ロックアームの先端が持ち上がって係合凸部がロック解除位置に変位するようにした。【選択図】図６
2011082111.tif 000002
【特許請求の範囲】
【請求項１】
多数の端子が収容されるコネクタハウジングの後部に後面が開放した筒壁部が設けられ、その筒壁部の内側の空間に後方からマットシールが収容され、そのマットシールを抜け止めするために、前記コネクタハウジングの後部にマットシールカバーが装着固定され、そのマットシールカバーに、該マットシールカバーから後方に引き出された電線を覆う電線カバーが着脱可能に装着された電線カバーの装着構造であって、
前記マットシールカバーは、前記コネクタハウジングの筒壁部の外周に嵌まる筒状周壁と、前記筒壁部の内側の空間に前半部分が嵌まることで、前記マットシールを前方に向けて押圧支持する押圧面板部と、前記筒状周壁の後端縁と前記押圧面板部の前後方向の中間部分の外周とを結合することで、前記押圧面板部の前半部分と前記筒状周壁との間に、前記コネクタハウジングの筒壁部の後端が挿入される環状溝を確保する連結壁部と、を有しており、
一方、前記マットシールカバーの筒状周壁の後端縁の一部に、前記連結壁部から切り離された状態で、前記電線カバーをロックするための帯板状のロックアームが突設され、
該ロックアームは、基端が前記筒状周壁に一体に結合されると共に、自由端である先端が、前記押圧面板部の後半部分の外周面に沿って後方へ延ばされて、前記押圧面板部の後半部分の外周面と交差する方向に撓み可能とされ、その自由端である先端の内面に、前記電線カバーの側壁に設けられたロック部と係合する係合凸部を有しており、
また、前記コネクタハウジングの筒壁部の外周面上に、前記筒状周壁上の前記ロックアームの基端が連結された部分の前側を内方へ押し込み可能とする凹部が設けられ、それにより、その凹部の縁である後側の角部を支点にして、前記ロックアームがシーソー状に揺動できることを特徴とする電線カバーの装着構造。
【請求項２】
前記筒状周壁上の、前記ロックアームの基端が連結された部分の、該ロックアームの幅方向両側の位置に、前記筒状周壁の後端縁から前記ロックアームを切り離すことで、該ロックアームの実質的な撓み部分の長さを延長して、該ロックアームを持ち上がりやすくする一対の第１スリットが設けられ、
該一対の第１スリットは、前記筒状周壁の後端縁から、該筒状周壁の後端縁と前端縁の中間位置まで切り込み形成され、それにより、前記ロックアームが、それら第１スリットの切り込み方向の奥端付近の位置を支点にして外方に撓み可能とされており、
また、前記コネクタハウジングの筒壁部の外周面上の、前記マットシールカバーの前記環状溝に挿入される部分よりも前側の位置に、前記筒状周壁のうち前記一対の第１スリットに挟まれた領域の前側に連続する部分を前記押し込み操作した際に、前記凹部の縁である後側の角部を支点にして、前記ロックアームがシーソー状に揺動できることを特徴とする請求項１に記載の電線カバーの装着構造。
【請求項３】
前記筒状周壁の後端側に形成された前記一対の第１スリットと対応する前端側の位置に、前記筒状周壁の前端縁から前記第１のスリットの奥端に近接する位置まで延びる一対の第２スリットが形成されていることを特徴とする請求項２に記載の電線カバーの装着構造。
【請求項４】
前記凹部の後側の角部に、外方に突出する突起が設けられていることを特徴とする請求項１から３のいずれか一項に記載の電線カバーの装着構造。
【発明の詳細な説明】
【技術分野】
【０００１】
本発明は、コネクタハウジングの後端から引き出された電線の束を保護しつつ該電線の束を所定の方向へ誘導するための電線カバーの装着構造に関するものである。
【背景技術】
【０００２】
図９は、特許文献１に開示されている電線カバーの装着構造の例を示す側面図、図１０は電線カバーのロックを外す方法の説明図である。
【０００３】
図９において、１１０はコネクタハウジング、１５０は電線カバーであり、コネクタハウジング１１０には係止突起１１５が設けられ、電線カバー１５０には係止孔１５５ａを有したロックアーム１５５が設けられている。この電線カバー１５０をコネクタハウジング１１０に装着する場合は、図１０に示すように、係止突起１１５に、ロックアーム１１５の撓みを利用してロックアーム１１５の係止孔１５５ａを嵌めることにより、コネクタハウジング１１０に電線カバー１５０をロックしている。
【先行技術文献】
【特許文献】
【０００４】
【特許文献１】特開平９−２１９２４５号公報
【発明の概要】
【発明が解決しようとする課題】
【０００５】
ところで、この場合のロックアーム１１５は、基端が電線カバー１５０に固定された片持状のものであるので、ロックを解除する場合には、図１０に示すように、治具１７０を用いて、ロックアーム１５５を外側（矢印Ｘ方向）に撓ませながら、係止突起１１５をロックアーム１５５から抜かなければならず、操作が面倒であった。
【０００６】
本発明は、上述した事情に鑑みてなされたものであり、その目的は、治具を用いないでも、ロック解除が簡単にできる電線カバーの装着構造を提供することにある。
【課題を解決するための手段】
【０００７】
前述した目的を達成するために、本発明に係る電線カバーの装着構造は、下記（１）〜（４）を特徴としている。
（１）  多数の端子が収容されるコネクタハウジングの後部に後面が開放した筒壁部が設けられ、その筒壁部の内側の空間に後方からマットシールが収容され、そのマットシールを抜け止めするために、前記コネクタハウジングの後部にマットシールカバーが装着固定され、そのマットシールカバーに、該マットシールカバーから後方に引き出された電線を覆う電線カバーが着脱可能に装着された電線カバーの装着構造であって、
前記マットシールカバーは、前記コネクタハウジングの筒壁部の外周に嵌まる筒状周壁と、前記筒壁部の内側の空間に前半部分が嵌まることで、前記マットシールを前方に向けて押圧支持する押圧面板部と、前記筒状周壁の後端縁と前記押圧面板部の前後方向の中間部分の外周とを結合することで、前記押圧面板部の前半部分と前記筒状周壁との間に、前記コネクタハウジングの筒壁部の後端が挿入される環状溝を確保する連結壁部と、を有しており、
一方、前記マットシールカバーの筒状周壁の後端縁の一部に、前記連結壁部から切り離された状態で、前記電線カバーをロックするための帯板状のロックアームが突設され、
該ロックアームは、基端が前記筒状周壁に一体に結合されると共に、自由端である先端が、前記押圧面板部の後半部分の外周面に沿って後方へ延ばされて、前記押圧面板部の後半部分の外周面と交差する方向に撓み可能とされ、その自由端である先端の内面に、前記電線カバーの側壁に設けられたロック部と係合する係合凸部を有しており、
また、前記コネクタハウジングの筒壁部の外周面上に、前記筒状周壁上の前記ロックアームの基端が連結された部分の前側を内方へ押し込み可能とする凹部が設けられ、それにより、その凹部の縁である後側の角部を支点にして、前記ロックアームがシーソー状に揺動できること。
（２）  上記（１）の構成の電線カバーの装着構造において、
前記筒状周壁上の、前記ロックアームの基端が連結された部分の、該ロックアームの幅方向両側の位置に、前記筒状周壁の後端縁から前記ロックアームを切り離すことで、該ロックアームの実質的な撓み部分の長さを延長して、該ロックアームを持ち上がりやすくする一対の第１スリットが設けられ、
該一対の第１スリットは、前記筒状周壁の後端縁から、該筒状周壁の後端縁と前端縁の中間位置まで切り込み形成され、それにより、前記ロックアームが、それら第１スリットの切り込み方向の奥端付近の位置を支点にして外方に撓み可能とされており、
また、前記コネクタハウジングの筒壁部の外周面上の、前記マットシールカバーの前記環状溝に挿入される部分よりも前側の位置に、前記筒状周壁のうち前記一対の第１スリットに挟まれた領域の前側に連続する部分を前記押し込み操作した際に、前記凹部の縁である後側の角部を支点にして、前記ロックアームがシーソー状に揺動できること。
（３）  上記（２）の構成の電線カバーの装着構造において、
前記筒状周壁の後端側に形成された前記一対の第１スリットと対応する前端側の位置に、前記筒状周壁の前端縁から前記第１のスリットの奥端に近接する位置まで延びる一対の第２のスリットが形成されていること。
（４）  上記（１）から（３）のいずれか一つの構成の電線カバーの装着構造において、
前記凹部の後側の角部に、外方に突出する突起が設けられていること。
【０００８】
上記（１）または（２）の構成の電線カバーの装着構造によれば、電線カバーを取り外す際に、ロックアームの前側の筒状周壁の前端縁付近の位置（押し込み操作部）を指で内方へ押し込むことにより、シーソー状にロックアームの先端を持ち上げることができ、係合凸部を電線カバーのロック部から外すことができるので、余計な治具を用いずに、容易に電線カバーを取り外すことができる。
上記（３）の構成の電線カバーの装着構造によれば、ロックアームをシーソー状に持ち上がりやすくするために更に第２スリットを設けたので、小さい力でもロック解除操作ができるようになる。
上記（４）の構成の電線カバーの装着構造によれば、ロックアームが揺動するための支点を突起によって明確化することができるので、ロックアームをよりシーソー状に持ち上がりやすくすることができる。
【発明の効果】
【０００９】
本発明によれば、余計な治具を用いず、指による押し込み操作だけでロックを解除できるので、電線カバーの取り外しの容易化を図ることができる。
【００１０】
以上、本発明について簡潔に説明した。更に、以下に説明される発明を実施するための形態を添付の図面を参照して通読することにより、本発明の詳細は更に明確化されるであろう。
【図面の簡単な説明】
【００１１】
【図１】本発明の実施形態の装着構造が適用されたコネクタユニットの前側から見た分解斜視図である。
【図２】同コネクタユニットの後側から見た分解斜視図である。
【図３】同コネクタユニットの部分組立状態を示す側断面図であり、コネクタハウジングとマットシールカバーのロック部分の構成が分かる断面図である。
【図４】図１に示すコネクタユニット構成部品の中のマットシールカバーの正面図である。
【図５】同コネクタユニットの全体組立状態を示す図３と違う部分の側断面図であり、マットシールカバーと電線カバーのロック部分の構成が分かる断面図である。
【図６】（ａ）は図５のロック部分の拡大断面図、（ｂ）はロック解除操作を行っている状態を示す図である。
【図７】図６（ｂ）の一部に突起を設けた例を示す側断面図である。
【図８】本発明の別の実施形態の要部を示す斜視図である。
【図９】従来の電線カバーの装着構造例を示す側面図である。
【図１０】（ａ）および（ｂ）は、従来の電線カバーのロック部を解除操作しているときの状態を示す斜視図と側断面図である。
【発明を実施するための形態】
【００１２】
以下、本発明の各実施形態を図面を参照して説明する。
《第１実施形態》
図１〜図６は本発明の第１実施形態の説明図であり、図１は第１実施形態の装着構造が適用されたコネクタユニットの前側から見た分解斜視図、図２は後側から見た分解斜視図、図３は同コネクタユニットの部分組立状態を示す側断面図であり、コネクタハウジングとマットシールカバーのロック部分の構成が分かる断面図、図４は図１に示すコネクタユニット構成部品の中のマットシールカバーの正面図、図５は同コネクタユニットの全体組立状態を示す図３と違う部分の側断面図であり、マットシールカバーと電線カバーのロック部分の構成が分かる断面図、図６の（ａ）は図５のロック部分の拡大断面図、（ｂ）はロック解除操作を行っている状態を示す図である。
【００１３】
図１及び図２に分解して示す、本実施形態の電線カバーの装着構造が適用されたコネクタユニットは、合成樹脂の成形品よりなるコネクタハウジング１０Ａの中に多数の端子（図示略）を収容して構成した多芯型のコネクタ１０と、コネクタハウジング１０Ａの外側に回動可能に装着されて、コネクタ１０を図示略の相手側のコネクタと嵌合する際に、矢印Ａ方向に回動操作されることで、てこの原理により、小さな回動操作力で大きな嵌合力を生じさせて、両コネクタの嵌合をスムーズに行わせる合成樹脂の成形品よりなるレバー２０と、コネクタハウジング１０Ａの後部に嵌め込まれて、コネクタハウジング１０Ａに収容した各端子から延びる電線とコネクタハウジング１０Ａとの隙間をシールするゴム製または柔軟樹脂製のマットシール３０と、コネクタハウジング１０Ａの後部に嵌合固定されて、マットシール３０を後側から押圧しつつ脱落防止する合成樹脂製のマットシールカバー４０と、マットシールカバー４０に装着されて、該マットシールカバー４０の後側から引き出された電線の束を保護しつつ該電線の束を所定の方向へ誘導するための合成樹脂の成形品よりなる電線カバー５０と、からなる。
【００１４】
コネクタハウジング１０Ａは、図１に示すように、内周側のコネクタ主体部１１と、その外周側のフード部１２と、後端の筒壁部１３とを有する。フード部１２は、相手コネクタのコネクタハウジングの嵌合筒壁の外周に嵌合する部分、コネクタ主体部１１は、相手コネクタのコネクタハウジングの嵌合筒壁の内周に嵌合する部分である。また、フード部１２の上部には、相手コネクタと嵌合した際に、レバー２０のレバーロック部２３とロックするロック機構１４が設けられている。
【００１５】
レバー２０は、左右一対の側板部２１と、それら側板部２１を連結する連結アーム部２２とを有する略コ字状のもので、図１及び図２に示すように、コネクタハウジング１０Ａのフード部１２の両サイド外面に突設したボス１６に側板部２１に形成した取付孔２６を嵌めることで、回動可能に設けられており、相手コネクタとの嵌合前は、図示の仮係止位置に保持されている。そして、コネクタ嵌合の際に、相手コネクタのハウジングに突設した凸部（図示略）を、レバー２０の側板部２１の周縁とコネクタハウジング１０Ａのフード部１２の前端に設けた入口２７、１７から、カム溝２５の一端に受け入れた状態で、レバー２０を図１中の矢印Ａ方向に回動させることにより、カム溝２５の作用によって、カム溝２５に沿ってスライドする凸部を介して、相手コネクタを、当該コネクタ１０側に引き込んで、両コネクタを嵌合させることができるようになっている。
【００１６】
図２及び図３に示すように、コネクタハウジング１０Ａの後部に設けられた筒壁部１３は、後面が開放し、背面から見た形状が略四角形のもので、その内部の空間１３ａがマットシール３０を収容する空間になっている。筒壁部１３の互いに対向する上壁部分と下壁部分の外周には、マットシールカバー４０をロックするための複数のロック凸部１５が設けられている。
【００１７】
マットシールカバー４０は、図１及び図２に示すように、コネクタハウジング１０Ａの筒壁部１３の外周に嵌まる筒状周壁４１と、筒壁部１３の内側の空間１３ａに前半部分が嵌まることで、マットシール３０を前方に向けて押圧支持する肉厚の押圧面板部４２と、筒状周壁４１の後端縁と押圧面板部４２の前後方向の中間部分の外周とを結合することで、押圧面板部４２の前半部分と筒状周壁４１との間に、コネクタハウジング１０Ａの筒壁部１３の後端が挿入される環状溝４６を確保する連結壁部４４と、を有するものである。押圧面板部４２には、電線をそれぞれ引き出すために各端子の位置に対応して配された多数の電線引出孔が設けられている。また、筒状周壁４１の上壁部分と下壁部分には、マットシールカバー４０をコネクタハウジング１０Ａの筒壁部１３に組み付けた際に、コネクタハウジング１０Ａ側のロック凸部１５に係合するロック部４３が設けられている。
【００１８】
また、マットシールカバー４０の筒状周壁４１の上壁部と下壁部の後端縁の一部には、連結壁部４４から切り離された状態で、電線カバー５０をロックするための帯板状のロックアーム４５が突設されている。
【００１９】
このロックアーム４５は、基端４５ａが筒状周壁４１に一体に結合されると共に、自由端である先端４５ｂが、押圧面板部４２の後半部分の外周面４２ａに沿って後方へ延ばされて、押圧面板部４２の後半部分の外周面４２ａと交差する方向に撓み可能とされており、その自由端である先端４５ｂの内面には、電線カバー５０の側壁に設けられたロック部５５ａと係合する係合凸部４５ｃが設けられている。また、係合凸部４５ｃの先端面には、電線カバー５０側のロック部５５ａの挿入を容易にする斜面４５ｄが設けられている。
【００２０】
また、マットシールカバー４０の筒状周壁４１上の、ロックアーム４５の基端４５ａが連結された部分の、ロックアーム４５の幅方向両側の位置には、筒状周壁４１の後端縁からロックアーム４５を切り離すことで、ロックアーム４５の実質的な撓み部分の長さを延長して、ロックアーム４５を持ち上がりやすくする一対の第１スリット４５ｅが設けられている。
【００２１】
これら一対の第１スリット４５ｅは、筒状周壁４１の後端縁から、筒状周壁４１の後端縁と前端縁の中間位置まで切り込み形成されており、それにより、ロックアーム４５が、それら第１スリット４５ｅの切り込み方向の奥端付近の位置を支点にして外方に撓み可能とされている。
【００２２】
また、図６に示すように、コネクタハウジング１０Ａの筒壁部１３の外周面上の、マットシールカバー４０の環状溝４６に挿入される部分よりも前側の位置には、筒状周壁４１のうち一対の第１スリット４５ｅに挟まれた領域の前側に連続する部分を押し込み操作部４１ｇ（図２参照）とした際に、当該押し込み操作部４１ｇを内方へ押し込み可能とする凹部１３ｂが設けられており、それにより、その凹部１３ｂの縁である後側の角部１３ｃを支点にして、ロックアーム４５がシーソー状に揺動できるように構成されている。
【００２３】
一方、図１に示すように、電線カバー５０は、内部に電線を誘導するための空間を持つ略半筒形状のもので、上下一対の側壁５１ａを有した半筒状の主カバー部５１と、その半筒状の主カバー部５１の一端側を塞ぐように設けられた端壁部５２と、半筒状の主カバー部５１の他端に延設されて電線の引き出し方向を案内する半筒状の電線ガイド部５３とを備えている。電線ガイド部５３には、電線結束バンドの通し孔５４が設けられている。
【００２４】
また、主カバー部５１の上下の両側壁５１ａには、マットシールカバー４０に電線カバー５０を装着した際にマットシールカバー４０と連結するための幅広のロック板５５が設けられており、このロック板５５の電線ガイド部５３側に、マットシールカバー４０側のロックアーム４５と係合するロック部５５ａが設けられている。また、ロック板５５の電線ガイド部５３側と反対側の部分は、マットシールカバー４０の押圧面板部４２の上下の外周面にロックアーム４５と並べて設けられた開き止め部４８に差し込まれる差し込み部５５ｂとなっている。
【００２５】
ここで、電線カバー５０の主カバー部５１の上下一対の両側壁５１ａは、マットシールカバー４０の押圧面板部４２の上下の外周面４２ａ間の幅よりも開き気味になっており、電線カバー５０を装着する際に多数の電線を拾いやすくなっている。また、上下一対のロック板５５も、側壁５１ａの開き具合に応じて、マットシールカバー４０の上下のロックアーム４５の間隔よりも開き気味になっており、そのままではロックアーム４５にロック部５５ａを係合しにくいので、一対のロック板５５の間隔を狭めながら差し込み部５５ｂを開き止め部４８に差し込むことにより、ロック板５５の間隔を保ちながら、ロック部５５ａをロックアーム４５に係合させることができるようになっている。
【００２６】
なお、このロック部５５ａは、電線カバー５０の装着時に、ロックアーム４５の係止凸部４５ｃと衝合することで、ロックアーム４５を外方に押し開きながら進み、係止凸部４５ｃを越えた段階でロックアーム４５が初期の内方位置に弾性復帰することでロックアーム４５の係合凸部４５ｃと係合して、それにより、電線カバー５０の装着方向と逆方向への移動を規制する機能を果たす部分である。
【００２７】
ここで、図２に示すように、マットシールカバー４０側の開き止め４８は、押圧面板部４２の上下の外周面に対し所定の隙間を持って対向するように連結板部４４から庇状に延設された押え板部４８ａと、その一端を押圧面板部４２の外周面に連結することで、押え板部４８ａを補強する補強壁部４８ｂとからなり、電線カバー５０のロック板５５を差し込む後方正面から見ると略Ｌ字状をなしている。
【００２８】
また、図１に示すように、電線カバー５０の端壁部５２の先端と、それに対応するマットシールカバー４０の押圧面板部４２の左右片方の外周面には、電線カバー５０を装着する際に互いに係合して装着の際の回動支点となる係合部５２ａ、４７がそれぞれ設けられている。
【００２９】
次に作用を説明する。
図１及び図２に示すコネクタユニットを組み立てる場合は、コネクタ１０を構成するコネクタハウジング１０Ａにレバー２０を組み付け、コネクタハウジング１０Ａの後部の筒壁部１３の内周側にマットシール３０を嵌め込んで、マットシール３０を押圧しながら、マットシールカバー４０をコネクタハウジング１０Ｂの後部に装着固定する。図３はその状態を示し、マットシールカバー４０のロック部４３がコネクタハウジング１０Ａ側のロック凸部１５に係合することで、マットシールカバー４０がコネクタハウジング１０Ａに固定されている。この状態において、マットシールカバー４０の押圧面板部４２の電線引出孔から後方へ多数の電線が引き出された形になる。
【００３０】
次に、電線カバー５０の端壁部５２の係合部５２ａをマットシールカバー４０の側面の係合部４７に係合させ、マットシールカバー４０の後方に引き出されている電線を内側の空間に入るように拾いながら、係合部５２ａ、４７同士の係合箇所を支点にして電線カバー５０をマットシールカバー４０側に回動させる。その際、最初は、電線カバーの両側壁５１ａを開き気味に保ったまま、電線を漏れなく拾い集める。全部の電線を拾えたら、徐々に両側壁５１ａの間隔を狭めて、ロック板５５の差し込み部５５ｂを、マットシールカバー４０開き止め４８に差し込む。
【００３１】
その状態で更に電線カバー５０を回動させると、電線カバー５０のロック部５５ａがロックアーム４５の先端に掛かり、ロックアーム４５を外側に撓ませながら更に電線カバー５０を回動させると、電線カバー５０がマットシールカバー４０に適正に装着された段階で、図６（ａ）に示すように、ロック部５５ａがロックアーム４５の係合凸部４５ｃに係合し、電線カバー５０が脱落しないようにロックされる。
【００３２】
次に、電線カバー５０をその状態から取り外す場合は、図６（ｂ）に示すように、マットシールカバー４０の筒状周壁４１の前端のロックアーム４５の前方に位置する部分（押し込み操作部４１ｇ）を内側に押し込む。この場合、コネクタハウジング１０Ａの筒壁部１３の外周面に凹部１３ｂが形成されているから、押し込み操作部４１ｇを内方に押し込めるのであり、そのように押し込むことにより、凹部１３ｂの後側の縁である角部１３ｃを支点にして、ロックアーム４５がシーソー状に揺動することになり、それにより、係合凸部４５ｃが外側のロック解除位置に変位する。従って、その状態のまま電線カバー５０を後方へ引き抜けば、電線カバー５０を取り外すことができる。この操作は、片方の手で上下の押し込み操作部４１ｇを同時に押し込み、別の手で電線カバー５０を引き抜くことで、治具を用いずに完了させることができる。
【００３３】
以上の説明のように、この実施形態のコネクタユニットに適用した電線カバーの装着構造によれば、電線カバー５０を取り外す際に、ロックアーム４５の前側の筒状周壁４１の前端縁付近の位置（押し込み操作部４１ｇ）を指で内方へ押し込むことでロックを外すことができるので、余計な治具を用いずに、容易に電線カバー５０を取り外すことができる。
【００３４】
なお、ロックアーム４５を解除操作する際に支点となる凹部１３ｂの角部１３ｃの位置に、図７に示すように、外方に突出した突起１３ｄを設けておけ、支点の位置がより高くなって明確化されることになるので、押し込み操作量に対するロックアーム４５の先端４５ｂの持ち上がり量を大きくすることができ、ロックを解除しやすくなる。
【００３５】
また、図８に示す第２実施形態のように、マットシールカバー４０の筒状周壁４１の後端側に形成された一対の第１スリット４５ｅと対応する筒状周壁４１の前端側の位置に、筒状周壁４１の前端縁から第１のスリット４５ｅの奥端に近接する位置まで延びる一対の第２スリット４１ｅを設ければ、ロックアーム４５をよりシーソー状に持ち上がりやすくすることができる。そのため、より小さい力でも、ロック解除操作ができるようになる。
【００３６】
また、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３７】
１０Ａ  コネクタハウジング
１３  筒壁部
１３ｂ  凹部
１３ｃ  角部
１３ｄ  突起
３０  マットシール
４０  マットシールカバー
４１  筒状周壁
４１ｅ  第２スリット
４１ｇ  押し込み操作部
４２  押圧面板部
４２ａ  外周面
４４  連結壁部
４５  ロックアーム
４５ａ  基端
４５ｂ  先端
４５ｃ  係合凸部
４５ｅ  第１スリット
４６  環状溝
５０  電線カバー
５１ａ  側壁
５５ａ  ロック部
【図１】
2011082111.tif 000003
【図２】
2011082111.tif 000004
【図３】
2011082111.tif 000005
【図４】
2011082111.tif 000006
【図５】
2011082111.tif 000007
【図６】
2011082111.tif 000008
【図７】
2011082111.tif 000009
【図８】
2011082111.tif 000010
【図９】
2011082111.tif 000011
【図１０】
2011082111.tif 000012